(57)【要約】【課題】簡単な構成により深み感のある柄模様を表現できるパネルを提供する。【解決手段】基体２と、基体２の表面に積層される化粧層３とで構成される。化粧層３が、基体２の表面に積層される中間層７と、中間層７の表面に積層される表層８とで構成される。中間層７が着色された中間層着色部１１と無色透明の中間層透明部１２を備える。表層８が着色された表層着色部１３と無色透明の表層透明部１４を備える。化粧層３が、表層着色部１３に対応する部分からなる第一着色領域Ａと、表層透明部１４と中間層着色部１１とが重複する部分からなる第二着色領域Ｂと、表層透明部１４と中間層透明部１２とが重複する部分からなる無色透明領域Ｃを備える。【選択図】図１
2010236310.tif 000002
【特許請求の範囲】
【請求項１】
基体と、基体の表面に積層される化粧層とで構成されるパネルであって、化粧層が、基体の表面に積層される中間層と、中間層の表面に積層される表層とで構成され、中間層が着色された中間層着色部と無色透明の中間層透明部を備えると共に、表層が着色された表層着色部と無色透明の表層透明部を備え、化粧層が、前記表層着色部に対応する部分からなる第一着色領域と、前記表層透明部と中間層着色部とが重複する部分からなる第二着色領域と、前記表層透明部と中間層透明部とが重複する部分からなる無色透明領域を備えて成ることを特徴とするパネル。
【請求項２】
前記表層着色部及び中間層着色部が透明又は半透明であり、前記第一着色領域が、表層着色部と中間層着色部とが重複する領域と、表層着色部と中間層透明部とが重複する領域とを備えていることを特徴とする請求項１に記載のパネル。
【請求項３】
前記中間層着色部及び中間層透明部が表面側から見て平行な直線状であると共に両者が交互に配置され、前記表層着色部及び表層透明部が表面側から見て前記直線状の中間層着色部に対して交差する平行な直線状であると共に両者が交互に配置されることを特徴とする請求項２に記載のパネル。
【発明の詳細な説明】
【技術分野】
【０００１】
本発明は表面側に化粧が施されるパネルに関する。
【背景技術】
【０００２】
従来、浴室の内装壁等に利用されるパネルには鋼板を用いて形成されたものがある（例えば特許文献１）。
【０００３】
このようなパネルにあっては、基板を構成する鋼板の表面に模様を印刷したフィルムをラミネートすることで化粧が施される場合があり、このようにフィルムをラミネートしてパネルを化粧することは簡単で良い。しかし、前記フィルムに印刷された模様では深み感を表現できず、単調で高級感のない外観になりやすい。
【先行技術文献】
【特許文献】
【０００４】
【特許文献１】特開２００６−９００８５号公報
【発明の概要】
【発明が解決しようとする課題】
【０００５】
本発明は上記従来の事情に鑑みてなされたものであって、簡単な構成により深み感のある柄模様を表現できるパネルを提供することを課題とする。
【課題を解決するための手段】
【０００６】
上記課題を解決するために本発明のパネルは、基体２と、基体２の表面に積層される化粧層３とで構成される。また、化粧層３が、基体２の表面に積層される中間層７と、中間層７の表面に積層される表層８とで構成され、中間層７が着色された中間層着色部１１と無色透明の中間層透明部１２を備えると共に、表層８が着色された表層着色部１３と無色透明の表層透明部１４を備えている。そして、化粧層３が、前記表層着色部１３に対応する部分からなる第一着色領域Ａと、前記表層透明部１４と中間層着色部１１とが重複する部分からなる第二着色領域Ｂと、前記表層透明部１４と中間層透明部１２とが重複する部分からなる無色透明領域Ｃを備えている。
【０００７】
また、表層着色部１３及び中間層着色部１１が透明又は半透明であり、第一着色領域Ａが、表層着色部１３と中間層着色部１１とが重複する領域Ａ１と、表層着色部１３と中間層透明部１２とが重複する領域Ａ２とを備えていることが好ましい。
【０００８】
また、中間層着色部１１及び中間層透明部１２が表面側から見て平行な直線状であると共に両者が交互に配置され、表層着色部１３及び表層透明部１４が表面側から見て前記直線状の中間層着色部１１に対して交差する平行な直線状であると共に両者が交互に配置されることが好ましい。
【発明の効果】
【０００９】
本発明のパネルは、化粧層が、表層着色部に対応する部分からなる第一着色領域と、表層透明部と中間層着色部とが重複する部分からなる第二着色領域と、表層透明部と中間層透明部とが重複する部分からなる無色透明領域を備えている。したがって、パネルを表面側から見た場合には、第一着色領域においては表層着色部が直接視認され、第二着色領域においては表層着色部よりもパネル裏側に位置する中間層着色部が表層透明部を透して視認され、無色透明領域においては中間層着色部よりもさらにパネル裏側に位置する基体の表面が表層透明部と中間層透明部を透して視認されることとなる。このため、基体に中間層と表層を積層するという簡単な構成でありながら、表層着色部、中間層着色部、及び基体の表面により、深み感のある柄模様を表現できる。
【００１０】
また、表層着色部及び中間層着色部を透明又は半透明とした場合には、第一着色領域の表層着色部と中間層着色部とが重複する領域においては、表層着色部と、中間層着色部と、基体表面の色を混ぜ合わせたような色を表現することができる。また、表層着色部と中間層透明部とが重複する領域においては、表層着色部と基体表面の色を混ぜ合わせたような色を表現することができる。このため、第一着色領域においても色の変化をつけることができて、より複雑な柄模様を表現できる。
【００１１】
また、中間層着色部及び中間層透明部を表面側から見て平行な直線状で且つ交互に配置すると共に、表層着色部及び表層透明部を表面側から見て中間層着色部に対して交差する平行な直線状で且つ交互に配置した場合、表層着色部、中間層着色部、及び基体の表面により、モザイクタイルのような柄模様を表現できる。
【図面の簡単な説明】
【００１２】
【図１】本発明の実施形態の一例におけるパネルの正面図である。
【図２】同上の隠蔽層を示し、（ａ）は正面図であり、（ｂ）は（ａ）のＡ−Ａ′断面図である。
【図３】同上の中間層を示し、（ａ）は正面図であり、（ｂ）は（ａ）のＢ−Ｂ′断面図である。
【図４】同上の表層を示し、（ａ）は正面図であり、（ｂ）は（ａ）のＣ−Ｃ′断面図である。
【図５】同上のパネルの領域Ａ１における断面図である。
【図６】同上のパネルの領域Ａ２における断面図である。
【図７】同上のパネルの第二着色領域における断面図である。
【図８】同上のパネルの無色透明領域における断面図である。
【発明を実施するための形態】
【００１３】
以下、添付図面に基づいて本発明の実施形態につき説明する。
【００１４】
本実施形態のパネル１は浴室の内装壁を構成する壁パネルであって、以下では施工後におけるパネル１の室内側を表面側とすると共に室外側を裏面側としてパネル１の各層につき説明する。
【００１５】
パネル１は図１に示すように室内側から見てあたかもモザイクタイルのような外観を有するものであり、図５等に示すように、矩形板状の基体２と、該基体２の表面に亘って積層された化粧層３で構成されている。
【００１６】
基体２は、基板４と、基板４の裏面に積層されたコーティング層５と、基板４の表面に積層されて基板４の表面全体を隠蔽する図２に示す隠蔽層６で構成されている。
【００１７】
本実施形態では、基板４が鋼板からなり、コーティング層５が防錆等の効果を付与するエポキシ樹脂層からなる。また、隠蔽層６は基板４の表面にラミネートされた樹脂フィルムからなる。この隠蔽層６を構成する樹脂フィルムは全体が白色に着色され、基板４の表面のメッキむらを隠している。
【００１８】
また、図５等に示すように、化粧層３は、基体２の表面に積層された中間層７と、該中間層７の表面に積層された表層８とで構成され、これら中間層７及び表層８は隠蔽層６よりも隠蔽性の低い層となっている。
【００１９】
図３に示す中間層７は隠蔽層６の表面にラミネートされた樹脂フィルムからなる。該中間層７は図３（ａ）に示すように着色された中間層着色部１１と透明な中間層透明部１２を備えている。
【００２０】
具体的には、中間層７は、隠蔽層６の表面全体に亘って積層された透明層９と、透明層９の表面に部分的に積層された複数の着色層１０で構成されている。なお、図１、図３、及び図５〜図８では、着色層１０の色を左下がりのハッチングで表現すると共に透明層９が無色であることをハッチングを付さないことで表現している。
【００２１】
透明層９は無色透明の樹脂フィルムからなる。また、各着色層１０は透明又は半透明で全体が赤色に着色された樹脂フィルムからなる。
【００２２】
前記各着色層１０を構成する樹脂フィルムを成形するにあたっては、十分な透明度を確保するため、成形材料全体に対して１．４重量％以下の赤色トナー（顔料）を添加して着色することが好ましく、本実施形態では成形材料全体に対して０．２重量％の赤色トナーを添加している。
【００２３】
各着色層１０は表面側から見て矩形状の透明層９の一辺と平行な直線状をしており、透明層９の表面において所定の間隔を介して配置され、また、透明層９の他の対向する二辺間に亘っている。
【００２４】
各着色層１０の幅は同一であり、また、隣り合う着色層１０の間隔は前記着色層１０の幅と同一としてあり、これによって中間層７の表面に均一なストライプ柄が施されている。
【００２５】
そして、本実施形態の中間層７においては、各着色層１０に対応する部分を前記中間層着色部１１とすると共に、透明層９において着色層１０が積層されていない部分を前記中間層透明部１２としてある。すなわち、中間層着色部１１及び中間層透明部１２は表面側から見て平行な直線状で且つ交互に配置されている。
【００２６】
図４に示す表層８は中間層７の表面にラミネートされた樹脂フィルムからなる。該表層８は、図４（ａ）に示すように、着色された表層着色部１３と透明な表層透明部１４とを備えている。
【００２７】
具体的には、表層８は、中間層７の表面全体に亘って積層された透明層１５と、透明層１５の表面に部分的に積層された複数の着色層１６で構成されている。なお、図１及び図４〜図８では、着色層１６の色を右下がりのハッチングで表現すると共に透明層１５が無色であることをハッチングを付さないことで表現している。
【００２８】
透明層１５は無色透明の樹脂フィルムからなる。また、各着色層１６は透明又は半透明で全体が青色に着色された樹脂フィルムからなる。また、表層８は浴室側に露出するパネル１の最表面を構成する層であるため、本実施形態では、透明層１５及び各着色層１６をポリエステル系フィルムで構成してあり、これによって耐薬品性を高めている。なお、透明層１５及び各着色層１６はＰＥＴフィルム等の他の樹脂フィルムで構成してもかまわない。
【００２９】
前記各着色層１６を構成する樹脂フィルムを成形するにあたっては、十分な透明度を確保するため、成形材料全体に対して１．４重量％以下の青色トナー（顔料）を添加して着色することが好ましく、本実施形態では成形材料全体に対して０．１重量％の青色トナーを添加している。
【００３０】
各着色層１６は表面側から見て矩形状の透明層１５の一辺と平行な直線状をしており、透明層１５の表面において所定の間隔を介して配置され、また、透明層１５の他の対向する二辺間に亘っている。さらに、各着色層１６は図１に示すように中間層７の直線状の各着色層１０に対して直交している。
【００３１】
各着色層１６の幅は前記着色層１０の幅と同一であり、また、隣り合う着色層１６の間隔は前記着色層１６の幅と同一としてあり、これによって表層８の表面に前記中間層７のストライプ柄と直交する均一なストライプ柄が施されている。
【００３２】
そして、本実施形態では、各着色層１６に対応する部分を前記表層着色部１３とすると共に透明層１５において着色層１６が積層されていない部分を前記表層透明部１４としてある。すなわち、表層着色部１３及び表層透明部１４は表面側から見て前記直線状の中間層着色部１１に対して交差する平行な直線状で且つ交互に配置されている。
【００３３】
図１に示すように、上記化粧層３は、表層着色部１３（すなわち各着色層１６）に対応する部分からなる第一着色領域Ａと、表層透明部１４（すなわち表層８において着色層１６が積層されていない部分）と中間層着色部１１（すなわち各着色層１０）とが重複する部分からなる第二着色領域Ｂと、表層透明部１４と中間層透明部１２（すなわち中間層７において着色層１０が積層されていない部分）とが重複する部分からなる無色透明領域Ｃとで構成されることとなる。
【００３４】
さらに前記第一着色領域Ａは、表層着色部１３と中間層着色部１１とが重複する領域Ａ１と、表層着色部１３と中間層透明部１２とが重複する領域Ａ２とで構成されている。
【００３５】
すなわち、図１において、クロスハッチングが付された部分が領域Ａ１、左下がりで傾斜したハッチングが付された部分が領域Ａ２、右下がりで傾斜したハッチングが付された部分が第二着色領域Ｂ、クロスハッチング及びハッチングのいずれもが付されていない白色の部分が無色透明領域Ｃとなっている。
【００３６】
上記のように化粧層３はＡ１、Ａ２、Ｂ、Ｃの４種類の領域に区画され、これによりパネル１を表面側から見た場合には、矩形状の各領域Ａ１、Ａ２、Ｂ、Ｃの全てが異なる色に見えて、あたかも４色の異なる色の矩形状のタイルを並べてなるモザイクタイルのような外観となる。
【００３７】
すなわち、パネル１の領域Ａ１に対応する部分においては図５に示す断面となり、図１のように、パネル１の表面側から見た場合に、透明又は半透明の着色された表層着色部１３と、透明又は半透明の着色された中間層着色部１１と、不透明の着色された隠蔽層６が重複する。このため、表層着色部１３の青色、中間層着色部１１の赤色、及び隠蔽層６の白色を混ぜ合わせたような色に見える。
【００３８】
また、パネル１の領域Ａ２に対応する部分においては図６に示す断面となり、図１のように表層着色部１３と、無色透明の中間層透明部１２と、隠蔽層６が重複する。このため、表層着色部１３の青色と隠蔽層６の白色を混ぜ合わせたような色に見える。
【００３９】
また、パネル１の第二着色領域Ｂに対応する部分においては図７に示す断面となり、図１のように、無色透明の表層透明部１４と、中間層着色部１１と、隠蔽層６が重複する。このため、中間層着色部１１の赤色と隠蔽層６の白色を混ぜ合わせたような色に見える。
【００４０】
また、パネル１の無色透明領域Ｃに対応する部分においては図８に示す断面となり、図１のように無色透明の表層透明部１４と、無色透明の中間層透明部１２と、隠蔽層６が重複する。このため、表層透明部１４と中間層透明部１２を透して隠蔽層６の白色が見える。
【００４１】
また、パネル１の第二着色領域Ｂに対応する部分において、着色された層の中で最も表面側に位置する中間層着色部１１は、第一着色領域Ａの表層着色部１３よりもパネル１裏側に位置し、さらに隠蔽層６は第二着色領域Ｂの中間層着色部１１よりもパネル１裏側に位置する。このため深み感のある外観を表現できる。
【００４２】
なお、本実施形態では、中間層着色部１１、表層着色部１３、隠蔽層６の夫々を赤、青、白に着色したが、中間層着色部１１、表層着色部１３、及び隠蔽層６の夫々の色はこれに限定されるものではない。また、中間層着色部１１、表層着色部１３、及び隠蔽層６は全て異なる色に着色したが、中間層着色部１１、表層着色部１３、及び隠蔽層６のうち２以上が同一色に着色されるものであってもよい。
【００４３】
また、表層着色部１３及び中間層着色部１１は互いに直交する直線状にしたが、表層着色部１３及び中間層着色部１１はパネル１の表面側から見て９０度以外の角度で交差するものであってもよい。また、表層着色部１３及び中間層着色部１１は平行な直線状であってもよく、この場合、表層着色部１３及び中間層着色部１１をずらして幅方向の一部を重複させれば多数色のストライプ柄を表現できる。さらに、表層着色部１３及び中間層着色部１１は直線状以外の形状を有するものであってもよい。また、中間層着色部１１及び表層着色部１３は透明又は半透明としたが、これら中間層着色部１１や表層着色部１３は不透明なものであってもよい。
【００４４】
また、本実施形態では化粧層３を中間層７と表層８の２層で構成したが、中間層７や表層８のように着色された着色部と無色透明の透明部を備えた一層のみで化粧層３を構成してもよい。
【００４５】
また、本実施形態におけるパネルは浴室内装壁を構成するものであるが、本発明はその他の壁パネルにも適用することができ、さらに建物の天井や床を構成するその他の建築用パネル等に適用してもよい。
【符号の説明】
【００４６】
Ａ  第一着色領域
Ａ１  領域
Ａ２  領域
Ｂ  第二着色領域
Ｃ  無色透明領域
１  パネル
２  基体
３  化粧層
７  中間層
８  表層
１１  中間層着色部
１２  中間層透明部
１３  表層着色部
１４  表層透明部
【図１】
2010236310.tif 000003
【図２】
2010236310.tif 000004
【図３】
2010236310.tif 000005
【図４】
2010236310.tif 000006
【図５】
2010236310.tif 000007
【図６】
2010236310.tif 000008
【図７】
2010236310.tif 000009
【図８】
2010236310.tif 000010